(57)【要約】      （修正有）【課題】無電源でも温度変化に対応して温室の各種動作対象部材を自動的に動作させることができ、同時に、電気駆動機構のスイッチングを可能とする。【解決手段】駆動材料の体積膨張に伴い、ピストン１２２が伸長し、該ピストン１２２に連結された可動シャフト１４０も伸長する。該可動シャフト１４０はリンク機構１５０を介して連結された側面換気窓を温室の側面から離間させる。同時に、可動シャフトの押圧部が作動スイッチのレバーを押圧し、排熱用換気扇を作動させる構造である。これにより、無電源でも温度変化に対応して側面換気窓の開閉及び排熱用換気扇のスイッチングを自動動作できるため、ランニングコストや設置コストを低減できる。【選択図】      図５
2005000098.tif 000002
【特許請求の範囲】
【請求項１】
温室を構成する換気部材、遮光部材又は保温部材などの各種の動作対象部材を無電源で動作させる温室用無電源駆動装置であって、
前記動作対象部材に、直接又は間接に連結されて配設され、無電源で駆動力を発生するアクチュエータを有すると共に、
前記アクチュエータによる前記動作対象部材の動作時に、温室に付設された電気で駆動する電気駆動機構をスイッチングするスイッチ操作部を設けたことを特徴とする温室用無電源駆動装置。
【請求項２】
前記アクチュエータが、温度に対応して体積変化する駆動材料と、該駆動材料の体積変化によって動作する作動部とを備えて構成されることを特徴とする請求項１記載の温室用無電源駆動装置。
【請求項３】
前記アクチュエータは、前記駆動材料が充填されるシリンダと、該シリンダ内を摺動し、前記作動部を構成するピストンとを備えてなり、
前記シリンダ及びピストンのいずれか一方が前記動作対象部材に、他方が任意の固定部材にそれぞれ直接又は間接に連結されて配設され、
前記駆動材料が温度上昇に追随して膨張することにより、前記ピストンとシリンダの相対位置が変化し、前記動作対象部材を動作させる構造であることを特徴とする請求項２記載の温室用無電源駆動装置。
【請求項４】
前記駆動材料が温度の低下により収縮した際に、前記ピストンをシリンダ内に収容する方向に付勢する復帰用弾性部材が設けられていることを特徴とする請求項３記載の温室用無電源駆動装置。
【請求項５】
前記動作対象部材に直接又は間接に連結される出力部材を備え、
前記アクチュエータの駆動力を該出力部材を介して動作対象部材に伝達する構成であることを特徴とする請求項１〜４のいずれか１に記載の温室用無電源駆動装置。
【請求項６】
温室に付設された電気で駆動する電気駆動機構をスイッチングするスイッチ操作部が、前記アクチュエータによって動作する出力部材に設けられ、該出力部材が動作すると前記電気駆動機構がスイッチングされる構成であることを特徴とする請求項５記載の温室用無電源駆動装置。
【請求項７】
前記動作対象部材が換気部材であり、前記電気駆動機構が排熱用換気扇又は空調装置であることを特徴とする請求項１〜６のいずれか１に記載の温室用無電源駆動装置。
【請求項８】
請求項１〜６のいずれか１に記載の温室用無電源駆動装置を備え、
前記温室用無電源駆動装置によって動作し、温室を構成する部材として設けられる換気部材、遮光部材又は保温部材などの各種の動作対象部材と、
温室に付設され、前記温室用無電源駆動装置のアクチュエータの動作時に、スイッチングされる電気で駆動する電気駆動機構とを具備することを特徴とする温室。
【請求項９】
前記動作対象部材が換気部材であり、前記電気駆動機構が排熱用換気扇又は空調装置であることを特徴とする請求項８記載の温室。
【請求項１０】
前記換気部材は、一端に対し、他端から巻き取り軸により巻き取り又は巻き戻しされることによって開閉されるように設けられていると共に、前記温室用無電源駆動装置に対してリンク機構を介して連結され、一端を基端部として温室の固定張りに対して離接可能に設けられていることを特徴とする請求項９記載の温室。
【請求項１１】
無電源で駆動力を発生するアクチュエータを有する温室用無電源駆動装置を、温室を構成する換気部材、遮光部材又は保温部材などの各種の動作対象部材に連結して配設し、該動作対象部材を無電源で動作させると共に、
前記温室用無電源駆動装置によって、温室に付設された電気で駆動する電気駆動機構をスイッチングすることを特徴とする温室の制御方法。
【請求項１２】
前記温室用無電源駆動装置を換気部材に連結して配設し、該換気部材を無電源で動作させる際に、該温室用無電源駆動装置により温室に付設した排熱用換気扇又は空調装置のスイッチをＯＮ又はＯＦＦすることを特徴とする請求項１１記載の温室の制御方法。
【発明の詳細な説明】
【０００１】
【発明の属する技術分野】
本発明は、温室内に設けられる各種の動作対象部材を無電源で動作させる駆動装置を用いた技術に関し、より詳しくは、動作対象部材を無電源で動作させると共に、温室に付設された電気で駆動する電気駆動機構をスイッチングすることができる温室用無電源駆動装置、該温室用無電源駆動装置を具備する温室、該温室用無電源駆動装置を用いた温室の制御方法に関する。
【０００２】
【従来の技術】
温室には、天窓や側面換気窓などの換気部材、遮光用あるいは保温用に設けられるカーテン部材など、上下、左右、回転方向等に動作する種々の動作対象部材が設けられている。温室に設けられるこれらの動作対象部材は、栽培植物のより適正な成長を企図して、温室内外の温度変化に応じて開閉させたり、移動させたりする。
【０００３】
例えば、天窓などの換気部材の場合、温室内に配置した温度計により室内温度を確認し、所定温度以上になると作業者が換気部材を開放したり、あるいは温度により開放角度を調整したりすることが行われている。しかしながら、このように作業者が手作業によって開閉動作させていたのでは、手間がかかり、また、監視のために常に人が居なければならず、効率のよい農作業ができない。このため、近年は、駆動源となるモータを温度に対応させて自動的に駆動させる自動制御機構が組み込まれた駆動装置を換気部材などに付設することも多い。
【０００４】
【発明が解決しようとする課題】
自動制御機構が組み込まれた駆動装置を設けることにより作業者の労力は軽減されるが、駆動源としてはモータが用いられているため、電気使用に伴うランニングコストがかかると共に、制御盤等を設ける必要があるため、設置コストも高い。また、モータを駆動させるための電源との接続の関係から、取り付け位置に制限を受けることもある。このため、電源がなくても各種動作対象部材を自動的に動作させる駆動装置の提供が望まれる。その一方、温室を構成する部材には、上記した各種動作対象部材のほか、電気で駆動せざるを得ない電気駆動機構、例えば、排熱用換気扇や空調装置なども付設されている。このような電気駆動機構のスイッチングは、通常、手動で行うか、自動制御する場合には、制御盤にマイクロコンピュータを組み込んで行う必要があるが、上記のような動作対象部材を無電源で自動的に動作させる駆動装置を利用してスイッチングできれば、手動操作の手間が省け、制御盤の構成も簡素化できる。
【０００５】
本発明は上記した点に鑑みなされたものであり、電源がなくても、特に、温度変化に対応して温室の各種動作対象部材を自動的に動作させることができ、ランニングコストや設置コストを低減できると共に、取り付け位置の制約が少なく、同時に、温室に付設される電気で駆動する電気駆動機構のスイッチングも行うことができる温室用無電源駆動装置、該温室用無電源駆動装置を具備する温室、該温室用無電源駆動装置を用いた温室の制御方法を提供することを課題とする。
【０００６】
【課題を解決するための手段】
上記した課題を解決するため、請求項１記載の本発明では、温室を構成する換気部材、遮光部材又は保温部材などの各種の動作対象部材を無電源で動作させる温室用無電源駆動装置であって、
前記動作対象部材に、直接又は間接に連結されて配設され、無電源で駆動力を発生するアクチュエータを有すると共に、
前記アクチュエータによる前記動作対象部材の動作時に、温室に付設された電気で駆動する電気駆動機構をスイッチングするスイッチ操作部を設けたことを特徴とする温室用無電源駆動装置を提供する。
請求項２記載の本発明では、前記アクチュエータが、温度に対応して体積変化する駆動材料と、該駆動材料の体積変化によって動作する作動部とを備えて構成されることを特徴とする請求項１記載の温室用無電源駆動装置を提供する。
請求項３記載の本発明では、前記アクチュエータは、前記駆動材料が充填されるシリンダと、該シリンダ内を摺動し、前記作動部を構成するピストンとを備えてなり、
前記シリンダ及びピストンのいずれか一方が前記動作対象部材に、他方が任意の固定部材にそれぞれ直接又は間接に連結されて配設され、
前記駆動材料が温度上昇に追随して膨張することにより、前記ピストンとシリンダの相対位置が変化し、前記動作対象部材を動作させる構造であることを特徴とする請求項２記載の温室用無電源駆動装置を提供する。
請求項４記載の本発明では、前記駆動材料が温度の低下により収縮した際に、前記ピストンをシリンダ内に収容する方向に付勢する復帰用弾性部材が設けられていることを特徴とする請求項３記載の温室用無電源駆動装置を提供する。
請求項５記載の本発明では、前記動作対象部材に直接又は間接に連結される出力部材を備え、
前記アクチュエータの駆動力を該出力部材を介して動作対象部材に伝達する構成であることを特徴とする請求項１〜４のいずれか１に記載の温室用無電源駆動装置を提供する。
請求項６記載の本発明では、温室に付設された電気で駆動する電気駆動機構をスイッチングするスイッチ操作部が、前記アクチュエータによって動作する出力部材に設けられ、該出力部材が動作すると前記電気駆動機構がスイッチングされる構成であることを特徴とする請求項５記載の温室用無電源駆動装置を提供する。
請求項７記載の本発明では、前記動作対象部材が換気部材であり、前記電気駆動機構が排熱用換気扇又は空調装置であることを特徴とする請求項１〜６のいずれか１に記載の温室用無電源駆動装置を提供する。
請求項８記載の本発明では、請求項１〜６のいずれか１に記載の温室用無電源駆動装置を備え、
前記温室用無電源駆動装置によって動作し、温室を構成する部材として設けられる換気部材、遮光部材又は保温部材などの各種の動作対象部材と、
温室に付設され、前記温室用無電源駆動装置のアクチュエータの動作時に、スイッチングされる電気で駆動する電気駆動機構とを具備することを特徴とする温室を提供する。
請求項９記載の本発明では、前記動作対象部材が換気部材であり、前記電気駆動機構が排熱用換気扇又は空調装置であることを特徴とする請求項８記載の温室を提供する。
請求項１０記載の本発明では、前記換気部材は、一端に対し、他端から巻き取り軸により巻き取り又は巻き戻しされることによって開閉されるように設けられていると共に、前記温室用無電源駆動装置に対してリンク機構を介して連結され、一端を基端部として温室の固定張りに対して離接可能に設けられていることを特徴とする請求項９記載の温室を提供する。
請求項１１記載の本発明では、無電源で駆動力を発生するアクチュエータを有する温室用無電源駆動装置を、温室を構成する換気部材、遮光部材又は保温部材などの各種の動作対象部材に連結して配設し、該動作対象部材を無電源で動作させると共に、
前記温室用無電源駆動装置によって、温室に付設された電気で駆動する電気駆動機構をスイッチングすることを特徴とする温室の制御方法を提供する。
請求項１２記載の本発明では、前記温室用無電源駆動装置を換気部材に連結して配設し、該換気部材を無電源で動作させる際に、該温室用無電源駆動装置により温室に付設した排熱用換気扇又は空調装置のスイッチをＯＮ又はＯＦＦすることを特徴とする請求項１１記載の温室の制御方法を提供する。
【０００７】
【発明の実施の形態】
以下、本発明の実施形態について、図面を参照して説明する。図１は本発明の一の実施形態に係る温室用無電源駆動装置１００を配設した温室１を示す図である。温室１は、例えば、妻面間方向に所定間隔ごとに略アーチ状に設置された複数の骨組み材６１にプラスチックフィルムなどから形成される被覆材が張られて、断面略半円形に形成されている。図１に示した被覆材は、温室１の側面下端部（地面との境界）から所定高さの位置まで張設される固定張り６５と、下限位置で該固定張り６５に重なると共に、上下に巻き取り又は巻き戻されることにより該温室１の側面を開閉する換気部材としての側面換気窓６０とを備えて構成される。
【０００８】
換気部材としての側面換気窓６０は、本実施形態において温室用無電源駆動装置１００によって制御される動作対象部材となるものである。すなわち、本実施形態では、温室用無電源駆動装置１００を用いて側面換気窓６０を、温室１の側面（固定張り６５の外面及びこの外面に沿った延長面）に対して外方に離間させる方向に開放動作させると共に、温室１内に設けられた電気駆動機構としての排熱用換気扇４０をこの温室用無電源駆動装置１００によってスイッチングする態様を示すものである。そこで、まず、本実施形態で用いた温室用無電源駆動装置１００の構成について図５〜図９に基づき説明する。
【０００９】
本実施形態の温室用無電源駆動装置１００は、温室１内の側面内側に配設され（図１参照）、図５（ａ），（ｂ）に示すように、駆動伝達機構１１０、アクチュエータ１２０、及び出力部材を備えて構成される。出力部材はさらに出力用チェーン部材１３０及び可動シャフト１４０を備えている。
【００１０】
駆動伝達機構１１０は、温室１に配置された骨組み材６１に固定される取り付け部材１１１と、自動駆動用バー１１２と、手動用ハンドル１１３と、該自動駆動用バー１１２と手動用ハンドル１１３とを係合させる係合部材１１４とを備えて構成されている。取り付け部材１１１には、略半円形の板状体１１１ａが突設されており、該板状体１１１ａには、円弧状のガイド溝１１１ｂが形成されている。自動駆動用バー１１２と手動用ハンドル１１３とは、共通の軸部材１１５により、同軸上で回転可能に支持される。
【００１１】
係合部材１１４は、同軸上に回転可能に配置された自動駆動用バー１１２と手動用ハンドル１１３とを任意に連結させたり、連結状態を解除する動作切り換え手段を構成するものである。係合部材１１４はかかる機能を有する限り、その構造は限定されるものではないが、本実施形態では、所定長さのチェーン部材１１４ａの一端に係合用のピン部材１１４ｂを設けた構造のものを用いている。自動駆動用バー１１２及び手動用ハンドル１１３には、それぞれ円弧状のガイド溝１１１ｂに対応する部位に孔が穿設されており、ピン部材１１４ｂは、各孔とガイド溝１１１ｂを貫通して配置されることにより、板状体１１１ａを介して自動駆動用バー１１２及び手動用ハンドル１１３を連結する。
【００１２】
アクチュエータ１２０は、シリンダ１２１と、該シリンダ１２１内を摺動可能に配設されるピストン１２２と、該ピストンを復帰させる復帰用弾性部材１２５とを備えている。このアクチュエータ１２０は、取り付け部材１１１によって支持され、略半円形の板状体１１１ａの下方に、温室１の側面と略平行に配設される。そして、ピストン１２２をシリンダ１２１に対して相対的に摺動させる駆動力を無電源で発生させる部材として、本実施形態ではシリンダ１２１内に温度に対応して体積変化する駆動材料（図示せず）を用いている。この駆動材料は、例えば、アルコール、グリセリンなどの液体や空気などの気体等を用いることができ、シリンダ内にＯリングなどのシール部材を介して密封して充填され、温度上昇により該駆動材料の体積が膨張すると、ピストン１２２はシリンダ１２１内で押圧されて伸長する。
【００１３】
逆に、温度低下により該駆動材料の体積が収縮した際は、ピストン１２２が体積膨張前の位置に速やかに復帰させるための復帰用弾性部材１２５が設けられている。復帰用弾性部材１２５は、ピストン１２２に対して、シリンダ１２１内に収容される方向に押圧できればよく、その取り付け位置や構造は限定されるものではないが、本実施形態においては、シリンダ１２１の外周にコイルスプリングを配置し、一端をピストン１２２に、他端をシリンダ１２１にそれぞれ連結するように設けている。なお、シリンダ１２１の外面は黒色に着色されていることが好ましい。太陽熱の吸収性が向上すると共に、曇天時などにおける放熱作用も早いため、温度変化に対する応答性を高めることができる。
【００１４】
上記した自動駆動用バー１１２は、その下端部がアクチュエータ１２０のピストン１２２に、連結板１２３を介して連結されている。従って、ピストン１２２が伸長すると、自動駆動用バー１１２の下端部がピストン１２２の前進方向に回動し、上端部が軸部材１１５を中心として図６の矢印Ｘ方向に回動する。
【００１５】
一方、手動用ハンドル１１３の下端部には、出力用チェーン部材１３０の一端部が連結される。なお、出力用チェーン部材１３０としては紐部材や棒状部材等を用いることもできる。出力用チェーン部材１３０の他端部は可動シャフト１４０に連結される。可動シャフト１４０は、上記した取り付け部材１１１の下方に、温室１の側面に略平行に移動可能に設けられ、該可動シャフト１４０にＵ字状ボルト１４２等により支持された固定部材１４１に、出力用チェーン部材１３０の他端部が連結される。また、図１に示すように、後述する作動スイッチ５０を押圧する押圧部１４５（スイッチ操作部）を備えている。従って、手動用ハンドル１１３が、軸部材１１５を中心として図６の矢印Ｘ方向に回動すると、下端部がピストン１２２の前進方向に回動するため、該可動シャフト１４０は、出力用チェーン部材１３０に引っ張られて、図６のＹ方向へ移動する。
【００１６】
出力用チェーン部材１３０が、手動用ハンドル１１３に連結されているため、該手動用ハンドル１１３と自動駆動用バー１１２とがピン部材１１４ｂによって連結されている状態では、アクチュエータ１２０の動力が自動で伝達される。すなわち、ピストン１２２が前進方向へ移動すると、自動駆動用バー１１２と手動用ハンドル１１３は共に矢印Ｘ方向へ回動し、可動シャフト１４０を図６の矢印Ｙ方向へ移動させる。なお、手動用ハンドル１１３と自動駆動用バー１１２とがピン部材１１４ｂによって連結されていない状態では、アクチュエータ１２０の動力が伝達されない手動モードとなり、手動用ハンドル１１３を矢印Ｘ方向に回動させると、アクチュエータ１２０の動作と関係なく、出力用チェーン部材１３０を介して可動シャフト１４０を矢印Ｙ方向へ移動させることができる。
【００１７】
可動シャフト１４０には、図８及び図９に示したように、側面換気窓６０を開閉するためのリンク機構１５０を構成する第１のリンク片１５１の基端部１５１ａが固定部材１４１を介して回動可能に連結される。リンク機構１５０を構成する第２のリンク片１５２は、温室１の骨組み材６１等に固定配設した取り付け金具１６０にその基端部１５２ａが回動可能に連結され、他端部１５２ｂが第１のリンク片１５１の中途で係合するように設けられる。これにより、第１のリンク片１５１の基端部１５１ａが可動シャフト１４０と共に、図８及び図９の左方に移動した場合には、第１のリンク片１５１の基端部１５１ａが第２のリンク片１５２の基端部１５２ａに接近し、第１のリンク片の他端部１５１ｂが、温室１の側面から離間する方向へ突出していく。従って、第１のリンク片１５１の他端部１５１ｂに側面換気窓６０を連結することにより、該側面換気窓６０を温室１の側面（固定張り６５）に対して離間する方向に動作させることができる。
【００１８】
側面換気窓６０には、図１に示すように、温室１の長手方向（奥行き方向）に延設した巻き取り軸６２が連結されている。該巻き取り軸６２の一端には、ハンドル６３が設けられ、該ハンドル６３を操作して巻き取り軸６２を巻き取る方向に回動させることにより開放し、巻き戻す方向に回動することにより閉鎖することができる。この結果、本実施形態においては、側面換気窓６０は、巻き取り軸６２によって巻き取り又は巻き戻しして開閉することもできるし、また、上記したリンク機構１５０を介し、温室用無電原駆動装置１００の可動シャフト１４０の直線方向の動作によって、固定張り６５（温室１の側面）に対して外方に離間する方向にも動作させることができる。
【００１９】
このため、本実施形態によれば、側面換気窓６０を巻き上げることなく、側面換気窓６０の下縁のみを開閉でき、多少の降雨であっても、温室内へさほど雨を侵入させることなく、換気できる（図３（ａ）参照）。その一方、巻き取り軸６２によって巻き上げることもできるため、天候に合わせた種々の換気形態を選択すること可能である。
【００２０】
上記アクチュエータ１２０は１本だけ用いてもよいが、例えば、シリンダ１２１の後端部に雌ねじ部を形成し、他のアクチュエータ１２０のピストン先端部に雄ねじ部を設けるなどして、複数のアクチュエータ１２０を直列に連結して用いることもできる。これにより、動作対象部材の動作量をより大きく確保することができ、動作対象部材の種類等によって、適宜の連結本数で用いることができる。
【００２１】
一方、温室１に付設される電気駆動機構としての排熱用換気扇４０は、図１〜図３に示したように、本実施形態では、例えば、温室１の妻面の上部に設けられている。この排熱用換気扇４０は、電気駆動により温室１内の暖まった空気を排出するものであり、信号ケーブル５２を介して作動スイッチ５０と電気的に接続されている。作動スイッチ５０は、本実施形態では、自動復帰型のレバー５１を備えたリミットスイッチを用いており、該レバー５１を所定の位置から傾倒させると電源がＯＮになり、レバー５１を押圧する力が解除されるとＯＦＦになるものである。具体的には、可動シャフト１４０の端部に相当する押圧部（スイッチ操作部）１４５の軸心の延長線上に、レバー５１が位置するように設けられ、可動シャフト１４０の移動に伴って、押圧部１４５によりレバー５１が押圧されると傾倒してＯＮする。
【００２２】
次に、本実施形態の作用について説明する。まず、低温時においては、図２（ａ），（ｂ）に示したように、側面換気窓６０は固定張り６５に近接した状態である。従って、可動シャフト１４０の押圧部１４５は作動スイッチ５０のレバー５１から離間しており、排熱用換気扇４０は作動していない。
【００２３】
これに対し、気温が上昇すると、シリンダ１２１内に充填された駆動材料が膨張して、ピストン１２２が初期位置に対して前進するため、自動駆動用バー１１２及び手動用ハンドル１１３が図６の矢印Ｘ方向に回動し、出力用チェーン部材１３０を介して可動シャフト１４０が図６のＹ方向へ移動し、さらに、リンク機構１５０を構成する第１のリンク片１５１の他端部１５１ｂを図９に示したように、温室１の側面（固定張り６５）から離間させるように移動させる。これにより、第１のリンク片１５１に連結された側面換気窓６０は、温度の上昇に伴って離間していく。
【００２４】
この際、本実施形態によれば、図３（ｂ）に示したように、可動シャフト１４０が図の左方へ移動するため、押圧部１４５が作動スイッチ５０のレバー５１を押圧し、傾倒させる。この結果、図３（ａ），（ｂ）に示したように、排熱用換気扇４０が作動して、該排熱用換気扇４０によって温室１内の暖まった空気を排出する一方で、側面換気窓６０が温室１の側面（固定張り６５）から離間しているため、その隙間から外気を取り入れ、効率よく温室１内の暖まった空気と外気とを置換し、速やかに排熱することができる。すなわち、本実施形態によれば、排熱用換気扇４０のスイッチングと側面換気窓６０の開放動作とを、無電源でありながら自動的にほぼ同期して行うことができるため、同じ換気効率を得るために排熱用換気扇４０のスイッチング及び側面換気窓６０の双方を手動で動作させる必要があった従来の構造と比べ、無駄がない。なお、図１の符号３は、温室１の他方の妻面に予め形成されている吸気口であり、排熱用換気扇４０の動作によって該吸気口３からも外気が取り入れられることはもちろんである。一方、温度が低下した際には、駆動材料が収縮し、復帰用弾性部材１２５によりピストン１２２がシリンダ１２１内へ収容されていく。側面換気窓６０は、自重により閉じようとするため、可動シャフト１４０が図の右方へ移動し、図３（ｂ）の状態から図２（ｂ）の状態になる。これにより、レバー５１から押圧部１４５が離間するため、リミットスイッチからなる作動スイッチ５０はＯＦＦになり、排熱用換気扇４０が停止する。
【００２５】
また、ピン部材１１４ｂを外すと、手動用ハンドル１１３と自動駆動用バー１１２との連結状態が解除され、上記したように、アクチュエータ１２０の動力が伝達されない手動モードとなる。従って、この場合には、作業者は手動用ハンドル１１３を操作して可動シャフト１４０を移動させる。本実施形態によれば、このように手動操作により可動シャフト１４０を動作させた場合でも、側面換気窓６０を温室１の側面（固定張り６５）から離間させることができると同時に、可動シャフト１４０の押圧部１４５が作動スイッチ５０のレバー５１を押圧し、排熱用換気扇４０を作動させることができる。従来の側面換気窓６０を巻き上げて開放するだけの構造では、側面換気窓６０の操作と排熱用換気扇４０のスイッチング操作とを別個に手動で操作しなければならなかったが、本実施形態の場合には、側面換気窓６０を開放動作させるだけで、これに同期して排熱用換気扇４０のスイッチングを自動的に行うことができ、手動操作によっても無駄のない換気を行うことができる。
【００２６】
なお、本実施形態のように、温室用無電源駆動装置１００に手動用ハンドル１１３を設けるなどして、アクチュエータ１２０の動力が伝達されない手動モードに切り換え可能とする構成とするか否かは任意であるが、手動モードに切り換え可能とすることにより、アクチュエータ１２０の駆動材料が膨張しているか否かに拘わらず、作業者の判断により、必要に応じて側面換気窓６０の開閉動作を行うことができる。
【００２７】
本発明は上記した実施形態に限定されるものではない。例えば、上記した実施形態では、作動スイッチ５０として自動復帰型のリミットスイッチを用いているが、トグルスイッチなどの他のスイッチを用いることもできる。但し、いずれのスイッチでも、自動復帰型でない場合には、スイッチ操作部として、単なる棒状の押圧部１４５を用いると、作動スイッチ５０のレバー５１を一方向に押圧できるのみであり、ＯＮ方向に傾倒したレバー５１をＯＦＦ方向に自動復帰させることはできない。そこで、このような場合には、図４に示したように、可動シャフト１４０の端部に略コ字状の枠部１８０を設けた構成とすることもできる。すなわち、この枠部１８０によってレバー５１に接触しないように、上記押圧部１４５に対向する位置にレバー復帰用のスイッチ操作部となる復帰用押圧部１８５を形成したものである。
【００２８】
かかる構成によれば、まず、上記実施形態と同様に、温室１内の温度上昇によるピストン１２２の伸張によって、可動シャフト１４０が図４（ｂ）の前進方向に移動すると、押圧部１４５が作動スイッチ（トグルスイッチなど）５０のレバー５１をＯＮ動作方向に傾倒させる。これにより、側面換気部６０の開放動作にほぼ同期して排熱用換気扇４０を動作させる。一方、温度が低下した際には、駆動材料が収縮し、復帰用弾性部材１２５によりピストン１２２がシリンダ１２１内へ収容されていく。側面換気窓６０は、自重により閉じようとするため、可動シャフト１４０が図４（ｃ）に示す後退方向へ移動する。これにより、可動シャフト１４０に設けられた復帰用押圧部１８５がＯＮ方向に傾倒していたレバー５１を押圧して、ＯＦＦ位置に戻す。
【００２９】
従って、このような構成とすることにより、作動スイッチ５０として自動復帰型のものを用いていない場合であっても、温度変化に対応して無電源で側面換気窓６０を開閉動作できると共に、排熱用換気扇４０のスイッチング操作を、ＯＮ操作、ＯＦＦ操作とも自動的に行うことができる。なお、図４においては、枠部１８０を略コ字状に形成し、トグルスイッチなどの作動スイッチ５０の下方を跨る例を示しているが、これに限定されるものではない。例えば、枠部１８０は円弧状ないしはＵ字状等に形成することもできるし、また、作動スイッチ５０の前方、後方、又は上方を跨る構成とすることもできる。また、枠部１８０に代えて、レバー５１と押圧部１４５とを紐部材（ベルト部材やチェーン部材等も含む）で連結し、押圧部１４５（可動シャフト１４０）が後退方向へ移動した際に、該紐部材を介してレバー５１を復帰方向へ引っ張り戻す構成とすることもできる。
【００３０】
また、上記実施形態において用いた温室用無電源駆動装置１００はあくまで一例である。すなわち、アクチュエータ１２０として、無電源で動作する構造のものを用いていれば良く、アクチュエータ１２０の駆動力を動作対象部材に伝達するまでの駆動伝達機構１１０及び出力部材の構成は、任意である。例えば、アクチュエータ１２０のピストン１２２に、出力部材としての多関節アーム部材（図示せず）を連結し、この多関節アーム部材の端部をスイッチ操作部として構成することもできる。
【００３１】
また、温室１に付設される電気駆動機構として上記した実施形態では排熱用換気扇４０を例に挙げているが、これに限定されるものではない。例えば、スプリンクラーを備えた細霧冷房装置などの空調装置（図示せず）を、側面換気窓６０の開閉と共に、ＯＮ・ＯＦＦ動作させる構成とすることもできる。動作対象部材も、側面換気窓６０に限定されるものではなく、妻面に設けられる換気窓や天窓であってもよいし、温室１内の上部に配置される遮光部材（遮光カーテン）や保温部材（保温カーテン）などを上記アクチュエータ１２０によって動作させる構成とし、これらの動作と共に、空調装置などのスイッチングを行う構成とすることもできる。但し、側面換気窓６０、妻面の換気窓、あるいは天窓などの換気部材と連動させる場合には、換気効率をより高めるのに効果的な上記した排熱用換気扇４０又は細霧冷房装置などの空調装置、あるいはこれらの両方と組み合わせることが好ましい。
【００３２】
また、側面換気窓６０を巻き上げる装置として、図１に示したような巻き取り軸６２を電動で回転させる電動式の巻き上げ装置（図示せず）も知られている。そこで、アクチュエータ１２０を用いて側面換気窓６０を温室の１の側面（固定張り６５）から外方へ離間する方向に開放すると共に、この電動式の巻き上げ装置のスイッチをＯＮする構成とすれば、側面換気窓６０を外方へ離間動作させるだけでなく、巻き上げ装置のスイッチングも温度変化に対応して無電源で自動的に行うことができ、側面換気窓６０による換気効率を向上させることができる。さらに、１つのアクチュエータ１２０に対応させてスイッチング動作させる電気駆動機構は、１つに限らず、複数であってもよい。
【００３３】
【発明の効果】
本発明は、無電源で駆動力を発生するアクチュエータ、特に、無電源でありながら温度変化に対応して駆動力を発生するアクチュエータを用い、このアクチュエータに直接又は間接に、温室の各種動作対象部材を連結し、さらに、温室に付設された電気で駆動する電気駆動機構をこのアクチュエータの動作時にスイッチング可能なスイッチ操作部を設けた構成である。従って、温室の換気部材、遮光部材又は保温部材などの各種動作対象部材を自動的に動作させるに当たって、無電源であるため、ランニングコストや設置コストを低減できると共に、電気配線を考慮する必要がないため、取り付け位置の制約が少ない。しかも、排熱用換気扇や空調装置などの電気駆動機構を、無電源で動作するスイッチング操作部によってスイッチングすることができるため、電気駆動機構を手動でＯＮ・ＯＦＦ動作させる場合と比較して、作業者の労力を軽減することができる。また、無電源で自動的に動作させる各種動作対象部材と電気駆動機構との組み合わせを考慮することにより、それらの機能を無駄なく効果的に発揮させることができる。例えば、動作対象部材を換気部材、電気駆動機構を排熱用換気扇又は空調装置とすることにより、無駄のない効率の高い換気を行うことができる。
【図面の簡単な説明】
【図１】図１は、本発明の一の実施形態に係る温室用無電源駆動装置を用いた温室の斜視図である。
【図２】図２は、低温時における排熱用換気扇及び可動シャフトの関係を説明するための図であり、（ａ）は正面図、（ｂ）は側面図である。
【図３】図３は、温度上昇時（高温時）における排熱用換気扇及び可動シャフトの関係を説明するための図であり、（ａ）は正面図、（ｂ）は側面図である。
【図４】図４（ａ）〜（ｃ）は、可動シャフトに設けるスイッチ操作部の他の例を説明するための図である。
【図５】図５は、上記実施形態に係る温室用無電原駆動装置を示す図であり、（ａ）は側面図、（ｂ）は正面図である。
【図６】図６は、上記温室用無電原駆動装置の作用を説明するための図である。
【図７】図７は、上記温室用駆動装置を手動で動作させる際の作用を説明するための図である。
【図８】図８は、上記温室用無電原駆動装置で用いたリンク機構を説明するための図であって、側面換気窓が閉じている状態を示す図である。
【図９】図９は、上記温室用無電原駆動装置で用いたリンク機構を説明するための図であって、側面換気窓が開いている状態を示す図である。
【符号の説明】
１  温室
３  吸気口
４０  排熱用換気扇
５０  作動スイッチ
５１  レバー
５２  信号ケーブル
６０  側面換気窓
６２  巻き取り軸
６５  固定張り
１００  温室用無電源駆動装置
１１０  駆動伝達機構
１１２  自動駆動用バー
１１３  手動用ハンドル
１２０  アクチュエータ
１２１  シリンダ
１２２  ピストン
１２５  復帰用弾性部材
１３０  出力用チェーン部材
１４０  可動シャフト
１４５  押圧部
１５０  リンク機構
１８０  枠部
１８５  復帰用押圧部
【図１】
2005000098.tif 000003
【図２】
2005000098.tif 000004
【図３】
2005000098.tif 000005
【図４】
2005000098.tif 000006
【図５】
2005000098.tif 000007
【図６】
2005000098.tif 000008
【図７】
2005000098.tif 000009
【図８】
2005000098.tif 000010
【図９】
2005000098.tif 000011